(57)【要約】【課題】  従来のエスカレーター用手摺ベルトは、転倒事故等を防止するための施策が施されていなかった。【解決手段】  この問題を解決するため、本発明は手摺ベルト５を備えたエスカレーター１において、その移動方向を表示し、エスカレーター１に乗り移る際のタイミングを図る目印となる方向表示マーク６Ａを有する印刷シート６を前記手摺ベルト５の表面に備え、前記方向表示マーク６Ａは、前記手摺ベルト５と色を異にすると共に、その表面平坦部５Ａの幅Ｗ２とほぼ同じ幅で印刷シート６の全長方向に適宜の間隔で設ける等の構成とした。【選択図】図４
2018027852.tif 000002
【特許請求の範囲】
【請求項１】
往路から復路にかけて反転して移動し、乗客を輸送する踏段と、この踏段と同期して往路から復路にかけて反転して移動する手摺ベルトとを備えたエスカレーターにおいて、移動方向を表示し、前記エスカレーターに乗り移る際のタイミングを図る目印となる方向表示マークを有する印刷シートを前記手摺ベルトの表面に備え、前記方向表示マークは、前記手摺ベルトと色を異にすると共に、前記手摺ベルトの表面平坦部の幅とほぼ同じ幅であり、前記印刷シートは、前記方向表示マークを、該印刷シートの全長に複数個有することを特徴とするエスカレーターの転倒事故防止用手摺ベルト。
【請求項２】
往路から復路にかけて反転して移動し、乗客を輸送する踏段と、この踏段と同期して往路から復路にかけて反転して移動する手摺ベルトとを備えたエスカレーターにおいて、移動方向を表示し、前記エスカレーターに乗り移る際のタイミングを図る目印となる方向表示マークを有する印刷シートを前記手摺ベルトの表面に備え、前記方向表示マークは、前記手摺ベルトと色を異にすると共に、前記手摺ベルトの表面平坦部の幅とほぼ同じ幅であり、前記印刷シートは、前記方向表示マークを、該印刷シートの全長に複数個有し、かつ前記方向表示マークと前記方向表示マークの間隔内に、前記方向表示マークより幅狭で注意文字や広告を表示した表示部を設けたことを特徴とするエスカレーターの転倒事故防止用手摺ベルト。
【請求項３】
請求項１及び２に記載のエスカレーターの転倒事故防止用手摺ベルトを備えることを特徴とする転倒事故防止用エスカレーター。
【発明の詳細な説明】
【技術分野】
【０００１】  本発明は、移動する踏段が傾斜路あるいは水平路を形成して乗客輸送を行うエスカレーターの手摺ベルトの構成に関する。
【背景技術】
【０００２】  従来においてエスカレーターの手摺ベルト表面に印刷シートを貼付けて広告表示を行う構成は、例えば特許文献１に開示されているように、既に提案されている。【０００３】  この特許文献１記載のエスカレーターの手摺ベルトは、手摺ベルトの表面長手方向に広告のみを表示した印刷シートを貼付けるようにしたものである。
【先行技術文献】
【特許文献】
【０００４】
【特許文献１】特開２００３−２１２４６８号公報
【発明の概要】
【発明が解決しようとする課題】
【０００５】  上記特許文献１に記載のものは、それの出願時の特許請求範囲の請求項１に「移動手摺の表面長手方向に広告物の印刷シールを貼付けた」とあるように広告媒体の提供を主眼としたものであって、この印刷シールによって乗客に対して転倒防止等の安全作用をもたらすという思想はなかった。【０００６】  一方、最近のエスカレーター利用においては、利用層の高齢化もあって、エスカレーターの乗り場で動く踏段に乗り移る際の体重移動のタイミングを失して転倒する事故が相次いでいる。これは、乗り移らんとして凝視する踏段の色が黒っぽく、踏段の動き（速度）が認識できないことに起因している。また、エスカレーターの動き方向が認識できず、逆乗り込みをしてしまう事象もある。さらに、上記特許文献１に記載の広告印刷のものは、単に文字や図柄を付したもので、手摺ベルトが動いていると文字や図柄があたかも一本の帯のように見えて方向表示の機能を発揮し得ないという問題があった。【０００７】  本発明の目的は、手摺ベルトの表面にこの手摺ベルの移動方向を見易く表示し、もって転倒事故等を防止する構成としたエスカレーターの手摺ベルトを提供することにある。
【課題を解決するための手段】
【０００８】  上記目的を達成するために、本発明の請求項１は、往路から復路にかけて反転して移動し、乗客を輸送する踏段と、この踏段と同期して往路から復路にかけて反転して移動する手摺ベルトとを備えたエスカレーターにおいて、移動方向を表示し、前記エスカレーターに乗り移る際のタイミングを図る目印となる方向表示マークを有する印刷シートを前記手摺ベルトの表面に備え、前記方向表示マークは、前記手摺ベルトと色を異にすると共に、前記手摺ベルトの表面平坦部の幅とほぼ同じ幅であり、前記印刷シートは、前記方向表示マークを、該印刷シートの全長に複数個有するものである。【０００９】  上記目的を達成するために、本発明の請求項２は、往路から復路にかけて反転して移動し、乗客を輸送する踏段と、この踏段と同期して往路から復路にかけて反転して移動する手摺ベルトとを備えたエスカレーターにおいて、移動方向を表示し、前記エスカレーターに乗り移る際のタイミングを図る目印となる方向表示マークを有する印刷シートを前記手摺ベルトの表面に備え、前記方向表示マークは、前記手摺ベルトと色を異にすると共に、前記手摺ベルトの表面平坦部の幅とほぼ同じ幅であり、前記印刷シートは、前記方向表示マークを、該印刷シートの全長に複数個有し、かつ前記方向表示マークと前記方向表示マークの間隔内に、前記方向表示マークより幅狭で注意文字や広告を表示した表示部を設けたものである。【００１０】  上記目的を達成するために、本発明の請求項３は、上記請求項１及び２に記載のエスカレーターの転倒事故防止用手摺ベルトを備えた転倒事故防止用エスカレーターとしたものである。
【発明の効果】
【００１１】  上記請求項１の構成によれば、手摺ベルトの移動方向を表示する方向表示マークが存在することにより、エスカレーターに乗り込まんとする利用者（乗客）がエスカレーターの移動速度と方向が視覚的に認知できて、結果として踏段への乗り込みタイミング取りが容易となり、かつ逆乗り込み防止に役立つことになる。【００１２】  上記請求項２の構成によれば、請求項１と同様に手摺ベルトの移動方向を表示する方向表示マークが存在することにより、エスカレーターに乗り込まんとする利用者（乗客）がエスカレーターの移動速度と方向が視覚的に認知できて、結果として踏段への乗り込みタイミング取りが容易となり、かつ逆乗り込み防止に役立つことになる。また、方向表示マークの間隔内に、その方向表示マークよりも幅狭な注意文字や広告を表示した表示部を設けたことにより方向表示マークの効果を減殺せず、注意喚起や広告効果を訴求することができる。【００１３】  上記請求項３の構成によれば、上記請求項１及び２により達成される転倒事故防止用エスカレーターを提供することができる。【００１４】  このように、本発明によれば転倒事故防止用手摺ベルトを備えたより安全な転倒事故防止用エスカレーターを提供することができる。
【図面の簡単な説明】
【００１５】
【図１】本発明の請求項１、２，３の一実施形態を示す全体側面図。
【図２】本発明の請求項１を説明する図１のＸ−Ｘ線に沿う部分断面図。
【図３】本発明の請求項１を説明する図２のＹ−Ｙ線に沿う部分断面図。
【図４】本発明の請求項１を説明する印刷シートの単体斜視図。
【図５】本発明の請求項２を説明する図２相当の部分断面図。
【図６】本発明の請求項２を説明する図４相当の単体斜視図。
【発明を実施するための形態】
【００１６】  以下、本発明の請求項１及び３によるエスカレーターの手摺ベルトの一実施の形態を図１〜図４に、請求項２及び３によるエスカレーターの手摺ベルトの一実施の形態を図５、図６に示すエスカレーターに基づいて説明する。
【００１７】  本発明のエスカレーター１は、上階床２Ａと下階床２Ｂに装架される主フレーム３と、無端状に連結されて往路から復路にかけて反転して移動する多数の踏段４、この踏段４と同期して往路から復路にかけて反転して移動するものでその断面形状が平坦部５Ａとこれに連なる両縁の半円部５Ｂとで馬蹄形状をなす幅Ｗ１の手摺ベルト５と、この手摺ベルト５の長手方向に沿い、その平坦部５Ａ（幅Ｗ２）から半円部５Ｂにかけて接着固定（図示省略）される長尺の印刷シート６が設けられている。
【００１８】  前記手摺ベルト５は、駆動歯車７の動力をチェーン８を介して駆動ローラ９等に伝達された動力によって摩擦駆動されるもので複路を案内ローラ１０、往路を欄干１１に案内され反転部１１Ａ、１１Ｂで折り返し反転して移動する構成となっている。
【００１９】  そして本発明の請求項１の印刷シート６は手摺ベルト５の全長に貼付けられると共に、その表面層には移動方向を表示する方向表示マーク６Ａが、目立ち易いように平坦部５Ａの幅Ｗ２いっぱいに印刷によって設けられる。また、この方向表示マーク６Ａは手摺ベルト５の全長方向に適宜の間隔で複数個設けられるものであるが、望ましくは手摺ベルト５の反転部の半円周範囲である高さＨ（図１、図２）内に少なくても１個存在する間隔Ｐ（図４）をおいて複数個配置されており、いま乗り込まんとする利用者（乗客）がエスカレーター１を見ると常に正面となる符号Ｈの範囲内に少なくても１個存在する方向表示マーク６Ａにより移動速度の速度感と動き方向を確実に視覚に訴えるという作用を発揮するものである。加えて、方向表示マーク６Ａは、印刷シート６の地色とは色が異なり（例えば黄色や白色）、そのマークも図示に例示した円形に限らず大きめの矢印や菱形などでも不都合はない。
【００２０】  さらに本発明の請求項２は図１の全体構成は請求項１と同様であり、かつ請求項２の印刷シート６６も、請求項１の印刷シート６と同様の機能を有するものであるが、印刷シート６６（印刷シート６と同機能の部分には同一符号を付す）は、方向表示マーク６Ａと方向表示マーク６Ａの間隔である符号Ｐの範囲に、その方向表示マーク６Ａ（幅Ｗ２）の幅よりも幅狭な幅Ｗ３で注意文字（例えば「手摺をつかむこと」など）や広告を表示した表示部６Ｂが設けられている。そして印刷シート６６は印刷シート６と同様に手摺ベルト５の全長に貼付けられると共に、その表面層には移動方向を表示する方向表示マーク６Ａが、目立ち易いように平坦部５Ａの幅Ｗ２いっぱいに印刷によって設けられる。また、この方向表示マーク６Ａは手摺ベルト５の全長方向に適宜の間隔で複数個設けられるものであるが、望ましくは手摺ベルト５の反転部の半円周範囲である高さＨ（図５）内に少なくても１個存在する間隔Ｐ（図６）をおいて複数個配置されており、いま乗り込まんとする利用者（乗客）がエスカレーター１を見ると常に正面となる符号Ｈの範囲内に少なくても１個存在する方向表示マーク６Ａにより移動速度の速度感と動き方向、それに表示部６Ｂの内容を確実に視覚に訴えるという作用を発揮するものである。加えて、方向表示マーク６Ａは、印刷シート６６の地色とは色が異なり（例えば黄色や白色）、そのマークも図示に例示した円形に限らず大きめの矢印や菱形などでも不都合はない。
【００２１】  請求項３は請求項１及び２の構成となるエスカレーターの転倒防止用手摺ベルトを実際のエスカレーターに適用して転倒事故防止用エスカレーターとしたものである。
【００２２】  ここで、印刷シート６、６６の詳細は、手摺ベルト５への接着層、印刷が施されるシート層に加え、表面のラミネート層などで構成される。
【００２３】  以上説明したように、本発明の請求項１〜３によれば手摺ベルト５の移動方向を見易く表示し、もってエスカレーターでの転倒事故や逆乗り等を防止することができる。
【産業上の利用可能性】
【００２４】  なお、上記の実施形態は、一般のエスカレーター構造を例に説明したが、隣接踏段同士に段差を有しない動く歩道と通称されるエスカレーターにもそのまま適用することができる。
【符号の説明】
【００２５】  １  エスカレーター
４  踏段
５  手摺ベルト
５Ａ  平坦部
６、６６  印刷シート
６Ａ  方向表示マーク
６Ｂ  表示部
【図１】
2018027852.tif 000003
【図２】
2018027852.tif 000004
【図３】
2018027852.tif 000005
【図４】
2018027852.tif 000006
【図５】
2018027852.tif 000007
【図６】
2018027852.tif 000008